(57)【要約】【課題】狭い面積の縦長形保管庫の収納物の取り出しを容易にするため、エアー装置を用いて空気圧により収納棚が昇降し、収納物の取り出しを行う装置を開発することにより、地下に埋設する等、特殊な用途の昇降機能を満足させる。【解決手段】縦長のケースの底板３に取付けた中空の案内ガイド軸４と、移動台５と、移動台に取付けたシール材６と、シール付ベアリング７とを備え、前記案内ガイド軸４の下部の位置に空気供給穴８を有し構成させるとともに、中空の案内ガイド軸４の上部に排気弁９を備え、且つケースの底部にチューブ１２を備えさせて下部の空気供給穴８に連結させた。【選択図】  図１
2004189472.tif 000002
【特許請求の範囲】
【請求項１】
パイプ状で縦長の保管空間を有するケースの底部に備えた底板と、該底板に取付けられた中空の案内ガイド軸と、該案内ガイド軸を介して上下に移動する移動台と、該移動台の外周に備えたシール材と、案内ガイド軸と移動台の間にシール付ベアリングとを備え構成され、前記案内ガイド軸の下部の位置に空気供給穴を備えたことを特徴とする縦長形保管庫の昇降装置。
【請求項２】
前記中空の案内ガイド軸の上部とエアー供給装置の間に排気弁を連結して備えたことを特徴とする請求項１に記載する縦長形保管庫の昇降装置。
【請求項３】
前記ケースの底部にチューブを備え、該チューブの供給穴と前記案内ガイド軸の下部の空気供給穴とを連結したことを特徴とする請求項１に記載する縦長形保管庫の昇降装置。
【発明の詳細な説明】
【０００１】
【発明の属する技術分野】
本発明は、狭い面積の縦長形保管庫の収納において、エアー装置を用いて空気圧により収納棚が昇降し、収納物の取り出しを行う装置に関する。
【０００２】
【従来の技術】
従来は狭い面積の縦長形保管庫の収納において、地下に埋設して使用する等の例があまりなかったため、昇降装置の開発が遅れていた。
【０００３】
【発明が解決しようとする課題】
しかし、地下に埋設する等、特殊な用途では取り出しに大変な動力が必要であるため、縦長形保管庫用昇降装置の開発が要望されている。
【０００４】
そこで、本発明者は狭い面積の縦長形保管庫の収納において、取り出しを容易にすることが出来て、しかも、製作コストが安価で、施工も比較的安易に出来る縦長形保管庫の昇降装置を提供するべく鋭意研究を重ねた結果、本考案に至ったのである。
【０００５】
【課題を解決するための手段】
本発明に係る縦長形保管庫の昇降装置の要旨とするところは、パイプ状で縦長の保管空間を有するケースの底部に備えた底板に取付けられた中空の案内ガイド軸を備えたことと、該案内ガイド軸を介して上下に移動する移動台と、該移動台の外周に備えたシール材と、前記案内ガイド軸と移動台の間にシール付ベアリングとを備え、前記案内ガイド軸の下部の位置に空気供給穴を備えたことにより、案内ガイド軸の上部からエアー供給装置を用いて空気を注入すると、シール材によりシールされた空間に案内ガイドの空気供給穴から空気が流入し、空気圧により移動台を押し上げるようにしたことにある。
【０００６】
また、本発明に係る縦長形保管庫の昇降装置において、前記中空の案内ガイド軸の上部とエアー供給装置の間に排気弁を連結して備えたことにより、弁の開閉により、任意の位置で移動台を停止出来るようにしたことにある。
【０００７】
また、本発明に係る縦長形保管庫の昇降装置において、前記ケースの底部にチューブを備え、該チューブの供給穴と前記案内ガイド軸の下部の空気供給穴とを連結して備えたことにより、エアー供給装置からの空気をチューブ内に導くようにしたことにある。
【０００８】
【発明の実施の形態】
本発明に係る縦長形保管庫の昇降装置は、ケースの底部に備えた底板に取付けられた中空の案内ガイド軸に空気を注入することにより、軸の下部の穴から空気が流入し、ケースと全面にわたってシールされた移動台の空間が密閉構造になっているため、移動台を押し上げる。また、エアー供給装置のエアーを止めると移動台とその上に積載されている物の重力により下降するので、昇降用機器を用いずに昇降の機能が果たせるため、収納空間を減らすことなく確実に昇降させることが出来る。
【０００９】
また、中空の案内ガイド軸の上部とエアー供給装置との間に排気弁を連結して備えた本発明の縦長形保管庫の昇降装置は、前記排気弁を開くことにより移動台とその上に積載されている物の重力により容器下部の空気が押し出され移動台は下降する。また、前記排気弁を閉じると空気の逃げ道がなくなり、移動台の下降は停止される。以上のように排気弁の開閉により移動台は任意の位置で停止出来るようになり、収納時の棚の位置を決めることができると共に落下防止の効果が得られ安全性向上になった。
【００１０】
また、ケースの底部にチューブを備え、該チューブの供給穴と前記案内ガイド軸の下部の空気供給穴とを連結して備えた本発明の縦長形保管庫の昇降装置は、案内ガイド軸の下部の空気供給穴から供給された空気がチューブ内に侵入し空気圧を増し風船の膨らむ作用を生じる。これにより弁より注入された空気は漏れることなくチューブ内に導かれるため前記移動台を確実に押し上げることが出来るようになった。
【００１１】
【実施例】
次に、本発明に係る縦長形保管庫の昇降装置の実施例について、図面に基づいて詳しく説明する。
【００１２】
図１において、符号１は本発明に係る縦長形保管庫の昇降装置である。この縦長形保管庫の昇降装置はパイプ状で縦長の保管空間を有するケース２と、該ケースの底部に取付けた底板３と、該底板に取付けられた中空の案内ガイド軸４と、該案内ガイド軸を介して上下に移動する移動台５と、該移動台の全周に備えたシール材６と、前記案内ガイド軸４と移動台５の間にシール付ベアリング７とを備え構成されている。また、案内ガイド軸の下部の位置に空気供給穴８を有している。
【００１３】
中空の案内ガイド軸４の上部には排気弁９が備えられている。１０はエアー供給装置で、連結パイプ１１により排気弁９に連結されている。
【００１４】
ケースの底部にチューブ１２を備え、前記案内ガイド軸４の下部の空気供給穴８に連結されている。１３はチューブ１２に設けた供給口で、連結ホース１４により下部の空気供給穴８に連結されている。１５は収納棚である。
【００１５】
このような縦長形保管庫の昇降装置１によれば、エアー供給装置により供給された空気は中空の軸４から密閉構造のケース下部空間に流入し、空気圧により昇降用機器を用いずに昇降の機能が果たせるため、収納空間を減らすことなく確実に収納物を昇降させることが出来る。また、排気弁の開閉により移動台は任意の位置で停止出来るようになり、収納時の棚の操作性向上と、安全性向上になった。また、チューブに空気を供給することにより確実に移動台を押し上げることが出来るようになった。
【００１６】
【発明の効果】
本発明に係る縦長形保管庫の昇降装置によれば、狭い面積の縦長形保管庫の収納物の取り出しにおいて、エアー供給装置を用いて空気圧により収納棚を昇降させ、収納物を取り出し出来るようにしたため、地下に埋設する等、特殊な用途でも最小の動力で昇降機能を果たすことが出来、しかも製造コストも安価で、施工も比較的安易に出来るので、四季を通じ安定した温度の地中に温度管理が必要な収納物の保管ができる装置の開発が可能になった。
【図面の簡単な説明】
【図１】本発明に係る縦長形保管庫の昇降装置を示す断面図である。
【図２】本発明に係る縦長形保管庫の昇降装置の実施例を示す要部断面図である。
【図３】本発明に係る縦長形保管庫の昇降装置の他の実施例を示す断面図である。
【符号の説明】
４  中空の案内ガイド軸
５  移動台
６  移動台の全周に備えたシール材
７  シール付ベアリング
８  下部の空気供給穴
９  排気弁
１２  チューブ
【図１】
2004189472.tif 000003
【図２】
2004189472.tif 000004
【図３】
2004189472.tif 000005